(57)【要約】      （修正有）【課題】小型化が図られた積層コイル部品を提供する。【解決手段】積層コイル部品１においては、結合抑制パターンＰ０を、コイルパターンＰ３〜Ｐ６とは別層のみに形成するため、一対のコイル４１、４２を構成するコイルパターン同士の距離を縮める際に、結合抑制パターンＰ０が阻害することはなく、また、コイルパターンＰ３〜Ｐ６と結合抑制パターンＰ０とが電気的に接してショートすることもない。したがって、積層コイル部品１により、コイルパターン同士の距離の短縮化を図ることができ、小型化が図られる。【選択図】図２
2015228439.tif 000002
【特許請求の範囲】
【請求項１】
複数の絶縁層が積層された積層体と、
前記積層体内において、前記積層体の積層方向に対して直交する方向に並ぶ一対のコイルであって、各コイルのコイル軸が前記積層体の積層方向に対して平行である一対のコイルを構成するコイルパターンと、
前記コイルパターンとは別層のみに形成された結合抑制パターンと
を備える、積層コイル部品。
【請求項２】
前記結合抑制パターンが、前記コイルパターンとは別層である一層にのみ形成されている、請求項１に記載の積層コイル部品。
【請求項３】
前記積層体内において、前記一対のコイルに対して積層方向に並んで設けられたコンデンサをさらに備え、
前記結合抑制パターンは、前記積層方向に関し、前記一対のコイルに対して、前記コンデンサ側とは反対の側に形成されている、請求項１または２に記載の積層コイル部品。
【請求項４】
前記コイルが、複数層のコイルパターンで構成されている、請求項１〜３のいずれか一項に記載の積層コイル部品。
【発明の詳細な説明】
【技術分野】
【０００１】
本発明は、積層コイル部品に関する。
【背景技術】
【０００２】
従来より、積層電子部品の一種として、複数の絶縁層からなる積層体の内部にコイルが形成された積層コイル部品が知られている。
【０００３】
たとえば、下記特許文献１には、積層体の内部に２つのコイルが並設された積層コイル部品が開示されている。より詳しくは、一の絶縁層上に、２つの１ターン分のコイルパターンが形成された積層コイル部品が開示されている。そして、コイルパターンが形成された絶縁層上と、その絶縁層に上下に隣り合う複数の絶縁層上のそれぞれに結合抑制パターンとしてシールド電極パターンが形成されており、シールド電極パターンによってコイルに生じる磁界を吸収し、コイルに生じる磁界が互いに影響し合うのを抑制している。また、上記積層コイル部品には、コイルに対して積層方向に並んだコンデンサが設けられている。
【先行技術文献】
【特許文献】
【０００４】
【特許文献１】特開平８−３１６０３５号公報
【発明の概要】
【発明が解決しようとする課題】
【０００５】
しかしながら、上述した従来技術に係る積層コイル部品においては、以下に示すような課題が存在する。
【０００６】
すなわち、コイルパターンと同じ層にシールド電極パターンが形成されているため、シールド電極パターンが、コイルパターン間の距離を縮めることを阻害し、それにより、部品の小型化が妨げられる。また、部品の小型化のためにコイルパターンとシールド電極パターンとを極限まで近づけようとすると、ショートする懸念もある。
【０００７】
本発明は、上記課題の解決のためになされたものであり、小型化を図ることができる積層コイル部品を提供することを目的とする。
【課題を解決するための手段】
【０００８】
本発明の一側面に係る積層コイル部品は、複数の絶縁層が積層された積層体と、積層体内において、積層体の積層方向に対して直交する方向に並ぶ一対のコイルであって、各コイルのコイル軸が積層体の積層方向に対して平行である一対のコイルを構成するコイルパターンと、コイルパターンとは別層のみに形成された結合抑制パターンとを備える。
【０００９】
このような積層コイル部品においては、結合抑制パターンは、コイルパターンとは別層のみに形成されているため、一対のコイルを構成するコイルパターン同士の距離を縮める際に、結合抑制パターンが阻害することはなく、また、コイルパターンと結合抑制パターンとが電気的に接してショートすることもない。したがって、上述した積層コイル部品によれば、コイルパターン同士の距離の短縮化を図ることができ、その結果として小型化が図られる。
【００１０】
また、結合抑制パターンが、コイルパターンとは別層である一層にのみ形成されている態様であってもよい。このように一層のみの結合抑制パターンであっても、十分な結合抑制効果が得られる。
【００１１】
また、積層体内において、一対のコイルに対して積層方向に並んで設けられたコンデンサをさらに備え、結合抑制パターンは、積層方向に関し、一対のコイルに対して、コンデンサ側とは反対の側に形成されている態様であってもよい。この場合、コイルの磁気分布がシンプルであるため、積層コイル部品の設計が容易である。
【００１２】
また、コイルが、複数層のコイルパターンで構成されている態様であってもよい。この場合、結合抑制パターンにより、複数のコイルパターンを積層する際の積層ズレが抑制される。
【発明の効果】
【００１３】
本発明の一側面及び種々の実施形態によれば、小型化が図られた積層コイル部品が提供される。
【図面の簡単な説明】
【００１４】
【図１】一実施形態に係る積層コイル部品の概略斜視図である。
【図２】図１に示した積層コイル部品のＩＩ−ＩＩ線断面図である。
【図３】図１に示した積層コイル部品の平面図である。
【図４】図１に示した積層コイル部品の層構成を示す分解斜視図である。
【図５】図１に示した積層コイル部品の等価回路を示した図である。
【図６】異なる態様の積層コイル部品図の断面図である。
【図７】図６に示した積層コイル部品の層構成を示す分解斜視図である。
【図８】異なる態様の積層コイル部品図の断面図である。
【図９】異なる態様の積層コイル部品図の断面図である。
【図１０】各試料のフィルタ特性を示した図である。
【図１１】絶縁層の積層ズレを説明した図である。
【発明を実施するための形態】
【００１５】
以下、図面を参照しながら、実施形態について詳細に説明する。なお、説明において、同一要素又は同一機能を有する要素には、同一符号を用いることとし、重複する説明は省略する。
【００１６】
図１、図２および図３に示す積層コイル部品１は、フィルタとして機能する電子部品である。より詳しくは、積層コイル部品１は３端子ローパスフィルタである。
【００１７】
積層コイル部品１は、直方体形状の外形を有する積層体１０と、積層体１０の対向する端面１０ａに設けられた一対の外部電極端子２０と、積層体１０の対向する側面１０ｂに設けられた一対のグランド電極端子３０とを備えている。なお、図１〜３の積層コイル部品１では、底面１０ｃの状態がよくわかるように、積層コイル部品１を裏返しにした状態で図示しているが、積層コイル部品１を実装基板に実装する際には、底面１０ｃが基板の実装面と対向するように適宜反転される。
【００１８】
積層体１０は、複数の絶縁層が積層された構成を有しており、絶縁層間に形成された所定の内部電極パターンによってコイル４０およびコンデンサ５０が形成されている。積層体の絶縁層を構成する材料は、一例としてフォルステライト系誘電体や酸化チタン系複合誘電体であり、内部電極パターンを構成する材料は、一例として銀や銅である。
【００１９】
コイル４０は、２つのコイル４１、４２によって構成されており、これらのコイル４１、４２は積層体１０の積層方向（図２の紙面上下方向）に対して直交する方向（すなわち、絶縁層が延在する方向）に並んでいる。また、各コイル４１、４２のコイル軸は、積層体１０の積層方向に対して平行である。
【００２０】
コンデンサ５０は、コイル４０に対して、積層体１０の積層方向において上下に重なるように形成されている。
【００２１】
このような積層コイル部品１においては、たとえば、図２に示すように、コンデンサ５０をコイル４０よりも積層体１０の底面１０ｃの側に位置させ、コンデンサ５０が下側（すなわち、基板側）になるようにして、図示しない基板上に実装される。
【００２２】
外部電極端子２０およびグランド電極端子３０は、積層体１０の端面および側面への電極材料の焼き付け（たとえば、６００〜７００℃）によって形成される。外部電極端子２０およびグランド電極端子３０を構成する材料は、一例として銀や銅である。外部電極端子２０およびグランド電極端子３０の各端子は、積層体１０の端面１０ａ側から底面１０ｃ側および上面１０ｄ側に一部回り込んでいる。
【００２３】
以下、図４を参照しつつ、絶縁層間に形成された内部電極パターンについてより詳しく説明する。
【００２４】
図４に示すように、積層体１０は、略同一寸法である矩形状の複数の絶縁層Ｌ１〜Ｌ１４が積層されることによって構成されている。積層体１０の層構成は、より具体的には、下から順に、最外絶縁層Ｌ１、結合抑制層Ｌ２、コイル層Ｌ３〜Ｌ６、ビア接続層Ｌ７、Ｌ８、コンデンサ層Ｌ９〜Ｌ１３、および、最外絶縁層Ｌ１４が積層された層構成となっている。なお、図４中において上下に延びる破線は、上下に重なる内部電極パターン間の接続関係を示しており、これらの接続は絶縁層を貫く図示しないビアによって実現される。
【００２５】
最外絶縁層Ｌ１は、複数層（図４では３層）からなる絶縁層が積層された層である。
【００２６】
結合抑制層Ｌ２は、結合抑制パターンＰ０が形成された層である。結合抑制パターンＰ０は、絶縁層Ｌ２の短手方向に沿って一直線状に延びる帯状パターンである。結合抑制パターンＰ０は、絶縁層Ｌ２の長辺の中間位置において絶縁層Ｌ２の短手方向に沿って延びて、その両端部が積層体１０の側面１０ｂに露出し、上述したグランド電極端子３０に接続される。
【００２７】
コイル層Ｌ３〜Ｌ６のそれぞれには、上述したコイル４０を構成するコイルパターンＰ３〜Ｐ６が形成されている。
【００２８】
コイルパターンＰ３は、一対のコイルパターン（第１のコイルパターンＰ３１および第２のコイルパターンＰ３２）からなり、第１のコイルパターンＰ３１と第２のコイルパターンＰ３２とは、絶縁層Ｌ３の長手方向に沿って所定距離だけ離間して並んでいる。第１のコイルパターンＰ３１は、絶縁層Ｌ３の長手方向に関する一側領域の全域に亘って形成されており、第２のコイルパターンＰ３２は、絶縁層Ｌ３の長手方向における他側領域の全域に亘って形成されている。そして、第１のコイルパターンＰ３１と第２のコイルパターンＰ３２とは、絶縁層Ｌ３の長辺方向に関する中間位置に、絶縁層Ｌ２の短手方向に沿って一直線状に延びる無パターン領域が形成されるように離間している。各コイルパターンＰ３１、Ｐ３２は、その一端部が絶縁層Ｌ３の短辺まで延びて、積層体１０の端面１０ａに露出し、上述した外部電極端子２０に接続される。
【００２９】
コイルパターンＰ４も、コイルパターンＰ３同様、一対のコイルパターン（第１のコイルパターンＰ４１および第２のコイルパターンＰ４２）からなる。第１のコイルパターンＰ４１の形成領域は、コイルパターンＰ３の第１のコイルパターンＰ３１の形成領域と略重畳しており、第２のコイルパターンＰ４２の形成領域は、コイルパターン３の第２のコイルパターンＰ３２の形成領域と略重畳している。コイルパターンＰ４においても、第１のコイルパターンＰ４１と第２のコイルパターンＰ４２とが、絶縁層Ｌ４の長手方向に沿って所定距離だけ離間して並び、上記無パターン領域を形成している。
【００３０】
コイルパターンＰ５も、コイルパターンＰ３、Ｐ４同様、一対のコイルパターン（第１のコイルパターンＰ５１および第２のコイルパターンＰ５２）からなる。第１のコイルパターンＰ５１の形成領域は、コイルパターンＰ３、Ｐ４の第１のコイルパターンＰ３１、Ｐ４１の形成領域と略重畳しており、第２のコイルパターンＰ５２の形成領域は、コイルパターン３、４の第２のコイルパターンＰ３２、Ｐ４２の形成領域と略重畳している。コイルパターンＰ５においても、第１のコイルパターンＰ５１と第２のコイルパターンＰ５２とが、絶縁層Ｌ５の長手方向に沿って所定距離だけ離間して並び、上記無パターン領域を形成している。
【００３１】
コイルパターンＰ６は、一対のコイルパターン（第１のコイルパターンＰ６１および第２のコイルパターンＰ６２）と、コイル接続パターンＰ６３とからなり、第１のコイルパターンＰ６１と第２のコイルパターンＰ６２とは、絶縁層Ｌ６の長手方向に沿って並んでおり、かつ、絶縁層Ｌ３の略中心位置にあるコイル接続パターンＰ６３を介して電気的に接続されている。
【００３２】
そして、コイルパターンＰ３〜Ｐ６の第１のコイルパターンＰ３１、Ｐ４１、Ｐ５１、Ｐ６１が図示しないビアを介して積層方向に関して接続されることにより、上述したコイル４１が構成される。同様に、コイルパターンＰ３〜Ｐ６の第２のコイルパターンＰ３２、Ｐ４２、Ｐ５２、Ｐ６２が図示しないビアを介して積層方向に関して接続されることにより、上述したコイル４２が構成される。
【００３３】
ビア接続層Ｌ７、Ｌ８には、いずれも絶縁層の中心位置、すなわち、コイルパターンＰ６のコイル接続パターンＰ６３と重畳する位置に、ビアパターンＰ７、Ｐ８が形成されている。これらのビアパターンＰ７、Ｐ８は、図示しないビアによって、コイルパターンＰ６のコイル接続パターンＰ６３と電気的に接続される。
【００３４】
コイル層Ｌ３〜Ｌ６のそれぞれには、上述したコイル４０を構成するコイルパターンＰ３〜Ｐ６が形成されている。
【００３５】
コンデンサ層Ｌ９〜Ｌ１３のそれぞれには、上述したコンデンサ５０を構成する、絶縁層の略全域にわたるコンデンサパターンＰ９〜Ｐ１３が形成されている。積層体１０の積層方向に並ぶコンデンサパターンＰ９〜Ｐ１３は、図示しないビアにより電気的に適宜接続される。
【００３６】
コンデンサパターンＰ９は、対向電極パターンＰ９１とビアパターンＰ９２からなる。対向電極パターンＰ９１は、絶縁層Ｌ９の略全域にわたって形成されている。また、対向電極パターンＰ９１の一部は、絶縁層Ｌ９の長辺の中間位置において長辺側の端部まで延びて、積層体１０の側面１０ｂに露出し、上述したグランド電極端子３０に接続される。ビアパターンＰ９２は、絶縁層の中心位置、すなわち、コイルパターンＰ６のコイル接続パターンＰ６３と重畳する位置に形成されている。ビアパターンＰ９２は、その周囲に形成された無パターン領域によって、対向電極パターンＰ９１とは電気的に絶縁されている。
【００３７】
コンデンサパターンＰ１０は、上述したコンデンサパターンＰ９の対向電極パターンＰ９１と対向する対向電極パターンのみで構成されている。
【００３８】
コンデンサパターンＰ１１は、対向電極パターンＰ１１１とビアパターンＰ１１２からなる。コンデンサパターンＰ１１は、コンデンサパターンＰ９と同一のパターンであり、コンデンサパターンＰ１１の対向電極パターンＰ１１１およびビアパターンＰ１１２はそれぞれ、コンデンサパターンＰ９の対向電極パターンＰ９１およびビアパターンＰ９２に対応している。すなわち、コンデンサパターンＰ１１においても、対向電極パターンＰ１１１の一部が、絶縁層Ｌ１１の長辺の中間位置において長辺側の端部まで延びて、積層体１０の側面１０ｂに露出し、上述したグランド電極端子３０に接続される。
【００３９】
コンデンサパターンＰ１２は、上述したコンデンサパターンＰ１１の対向電極パターンＰ１１１と対向する対向電極パターンのみで構成されている。
【００４０】
コンデンサパターンＰ１３は、対向電極パターンのみからなり、この対向電極パターンは、絶縁層Ｌ１３の略全域にわたって形成されている。コンデンサパターンＰ１３の一部は、絶縁層Ｌ１３の長辺の中間位置において長辺側の端部まで延びて、積層体１０の側面１０ｂに露出し、上述したグランド電極端子３０に接続される。
【００４１】
最外絶縁層Ｌ１４は、最外絶縁層Ｌ１同様、複数層（図４では３層）からなる絶縁層が積層された層である。
【００４２】
以上で説明したとおり、積層コイル部品１はコイル４０とコンデンサ５０とを備えており、その等価回路は図５のとおりとなる。図５において、「ＩＮ／ＯＵＴ」は各外部電極端子２０への接続を示しており、「ＧＮＤ」は各グランド電極端子３０への接続を示している。
【００４３】
以下、上述した積層コイル部品１における２つのコイル４１、４２間の磁気的な結合について、説明する。
【００４４】
互いのコイル軸が平行となるように近接配置されたコイル４１とコイル４２とは、通常、それぞれに生じる磁束が結合して、素子特性（たとえば、フィルタの挿入損失）を低下させてしまう。そこで、積層コイル部品１においては、コイル４１の磁束とコイル４２の磁束とが通過する箇所に、上述した結合抑制パターンＰ０を設けて、磁束の結合の抑制を実現している。
【００４５】
ここで、コイル４１の磁束とコイル４２の磁束との結合抑制の観点から、図６、７に示した構成の積層コイル部品１Ａが考えられる。
【００４６】
図６、７に示した積層コイル部品１Ａは、上述した積層コイル部品１とは、コイル層Ｌ３〜Ｌ５のコイルパターンＰ３〜Ｐ５が相違している。すなわち、積層コイル部品１Ａの各コイル層Ｌ３’〜Ｌ５’におけるコイルパターンＰ３’〜Ｐ５’には、第１のコイルパターンＰ３１、Ｐ４１、Ｐ５１と第２のコイルパターンＰ３２、Ｐ４２、Ｐ５２との間に、上述した結合抑制パターンＰ０が形成されている。
【００４７】
このような積層コイル部品１Ａであっても、上述した積層コイル部品１と同様、コイル４１の磁束とコイル４２の磁束との結合を抑制することができる。
【００４８】
しかしながら、積層コイル部品１Ａでは、コイル４１、４２を構成する同層のコイルパターンＰ３１、Ｐ３２、Ｐ４１、Ｐ４２、Ｐ５１、Ｐ５２同士の距離を縮める際に、結合抑制パターンＰ０が阻害することとなる。すなわち、上記コイルパターンと同じ層に結合抑制パターンＰ０が存在するため、ある程度以上のコイルパターン間距離の短縮化が困難となっている。その結果、積層コイルの素子寸法の小型化が困難となっている。
【００４９】
その上、積層コイル部品１Ａの各コイル層Ｌ３’〜Ｌ５’では、パターニングの際のわずかな位置ズレで、第１のコイルパターンＰ３１、Ｐ４１、Ｐ５１や第２のコイルパターンＰ３２、Ｐ４２、Ｐ５２が結合抑制パターンＰ０と電気的に接して、ショートする虞がある。
【００５０】
一方、上述した積層コイル部品１においては、結合抑制パターンＰ０が、コイルパターンＰ３〜Ｐ６とは別の層に形成されており同じ層には形成されていないため、コイル４１、４２を構成する同層のコイルパターンＰ３１、Ｐ３２、Ｐ４１、Ｐ４２、Ｐ５１、Ｐ５２同士の距離を縮める際に、結合抑制パターンＰ０が阻害することはない。したがって、上述した積層コイル部品１によれば、コイルパターン同士の距離の短縮化を図ることができ、その結果として小型化が図られる。
【００５１】
また、結合抑制パターンＰ０が、コイルパターンＰ３〜Ｐ６とは別の層に形成されており同じ層には形成されていないため、コイルパターンＰ３〜Ｐ６と結合抑制パターンＰ０とが電気的に接してショートすることもない。
【００５２】
発明者らは、上述した積層コイル部品１の磁束結合の抑制効果を確認するため、４つの試料（試料１〜４）を準備した。
【００５３】
試料１は、上述した積層コイル部品１と同様の構成を有する試料である。また、試料２は、上述した積層コイル部品１Ａと同様の構成を有する試料である。
【００５４】
試料３は、図８に示した積層コイル部品１Ｂと同様の構成を有する試料である。積層コイル部品１Ｂは、図１〜４に示した積層コイル部品１から結合抑制パターンＰ０を除いた構成の積層コイル部品である。すなわち、積層コイル部品１Ｂでは、図４に示した絶縁層（結合抑制層）Ｌ２に結合抑制パターンＰ０が形成されておらず、絶縁層（コイル層）Ｌ３〜Ｌ５にも結合抑制パターンＰ０が形成されていない。
【００５５】
試料４は、図９に示した積層コイル部品１Ｃと同様の構成を有する試料である。積層コイル部品１Ｃは、図６、７に示した積層コイル部品１Ａから、最も上面１０ｄに近い１つの結合抑制パターンＰ０を除いた構成の積層コイル部品である。すなわち、積層コイル部品１Ｃでは、図７に示した絶縁層（結合抑制層）Ｌ２に結合抑制パターンＰ０が形成されておらず、絶縁層（コイル層）Ｌ３’〜Ｌ５’には結合抑制パターンＰ０が形成されている。
【００５６】
そして、各試料１〜４について、磁束結合と関連する素子特性であるフィルタの挿入損失｜Ｓ２１｜（ｄＢ）を求めた。その結果は、図１０のグラフに示すとおりであった。
【００５７】
図１０のグラフから明らかなように、試料１は、試料２および試料４と同等レベルの十分なフィルタ特性を有している。試料３に関しては、結合抑制パターンＰ０が存在しないため、試料１、２、４と比較すると、フィルタ特性が劣化している。
【００５８】
このことから、試料１では、試料２および試料４と同等レベルの磁束結合の抑制が図られていると見なすことができる。換言すると、試料１のように、結合抑制パターンＰ０がコイルパターンとは別の層に一層だけ形成された場合であっても、試料２や試料４のように、結合抑制パターンＰ０がコイルパターンの間に介在する場合と同様に、磁束結合の抑制が図られている。
【００５９】
発明者らは、この実験により、結合抑制パターンＰ０がコイルパターンとは別の層に一層だけ形成された場合であっても、高い磁束の結合抑制効果があることを見出した。すなわち、結合抑制パターンＰ０は、必ずしもコイルパターンと同層に形成する必要はなく、コイルパターンと別層にのみ形成した場合であっても、磁束結合の抑制を十分に図ることができる。
【００６０】
以上において説明したとおり、積層コイル部品１は、複数の絶縁層Ｌ１〜Ｌ１４が積層された積層体１０と、積層体１０内において一対のコイル４１、４１を構成する絶縁層Ｌ３〜Ｌ６のコイルパターンＰ３〜Ｐ６と、コイルパターンＰ３〜Ｐ６とは別層の絶縁層Ｌ２のみに形成された結合抑制パターンＰ０とを備える。
【００６１】
このような積層コイル部品１においては、結合抑制パターンＰ０は、コイルパターンＰ３〜Ｐ６とは別層のみに形成されているため、一対のコイル４１、４２を構成するコイルパターンＰ３１、Ｐ３２、Ｐ４１、Ｐ４２、Ｐ５１、Ｐ５２同士の距離を縮める際に、結合抑制パターンＰ０が阻害することはなく、また、コイルパターンＰ３〜Ｐ６と結合抑制パターンＰ０とが電気的に接してショートすることもない。したがって、上述した積層コイル部品１によれば、コイルパターン同士の距離の短縮化を図ることができ、その結果として小型化が図られる。
【００６２】
そして、上述したとおり、結合抑制パターンＰ０は一層にのみ形成されている態様であっても、十分な結合抑制効果が得られる。
【００６３】
また、積層コイル部品１においては、結合抑制パターンＰ０が、積層体１０の積層方向に関し、一対のコイル４１、４２に対して、コンデンサ５０側とは反対の側に形成されている。結合抑制パターンＰ０をコイルパターンＰ３〜Ｐ６とは別層に形成する場合、その形成位置は、コイル４１、４２に対してコンデンサ５０側（図２における上側）と、その反対側（図２における下側）の両方が考えられる。コンデンサ５０側とは反対の側に結合抑制パターンＰ０を形成することで、コイル４１の磁気分布をシンプルに考えることができ、積層コイル部品１の設計が容易になる。また、図２の断面図から明らかなように、コンデンサ５０側は各種パターンが存在しているが、その反対側は何も存在しておらず、結合抑制パターンＰ０を形成する領域を容易に確保できる。
【００６４】
また、積層コイル部品１においては、コイルが複数層のコイルパターンＰ３〜Ｐ６で構成されているが、この場合に、上述した結合抑制パターンＰ０は積層ズレを抑制することができる。図１１を参照して、コイルパターンＰ３〜Ｐ６が形成された絶縁層Ｌ３〜Ｌ６の積層ズレについて説明する。
【００６５】
上述したとおり、結合抑制パターンＰ０が形成された絶縁層Ｌ２の上には、第１のコイルパターンＰ３１および第２のコイルパターンが形成された絶縁層Ｌ３が重ねられる。このとき、図１１（ａ）に示すとおり、絶縁層Ｌ２の結合抑制パターンＰ０の位置に、第１のコイルパターンＰ３１と第２のコイルパターンＰ３２との間の無パターン領域が位置する。つまり、絶縁層Ｌ２の結合抑制パターンＰ０を、絶縁層Ｌ３の第１のコイルパターンＰ３１と第２のコイルパターンＰ３２とで左右から挟み込むような位置関係となる。そのため、図１１（ｂ）に示すように、絶縁層Ｌ２に絶縁層Ｌ３が重ね合わされた状態では、結合抑制パターンＰ０がアンカーとして機能して、絶縁層Ｌ２に対して絶縁層Ｌ３の左右方向の移動が拘束される。そのため、絶縁層Ｌ３の上に重ねられる絶縁層Ｌ４に、コイルパターンＰ３１、Ｐ３２と同様のコイルパターンＰ４１、Ｐ４２が形成されている場合であっても、絶縁層Ｌ３が絶縁層Ｌ２に対して左右方向にはズレることが抑制され、絶縁層Ｌ３、Ｌ４間の積層ズレが抑制される。
【００６６】
なお、本発明は、上述した実施形態に限定されるものではなく、本発明の要旨を逸脱しない範囲内において種々に改変することができる。
【００６７】
たとえば、結合抑制パターンは一層に限らず、複数層にわたって形成されていてもよい。また、結合抑制パターンの形状は、帯状に限らず、円形状や多角形状であってもよい。
【００６８】
積層体の内部において並設されたコイルは２つに限らず、３つ以上であってもよい。また、積層体を構成する絶縁層の数や、コイルパターン形状等についても、適宜変更することができる。さらに、積層コイル部品は、コンデンサを備えたフィルタに限定されず、コンデンサを備えていないその他の電子部品であってもよい。
【符号の説明】
【００６９】
１…積層コイル部品、１０…積層体、４０…コイル、５０…コンデンサ、Ｌ１〜Ｌ１３…絶縁層、Ｐ０…結合抑制パターン、Ｐ３〜Ｐ６…コイルパターン。
【図１】
2015228439.tif 000003
【図２】
2015228439.tif 000004
【図３】
2015228439.tif 000005
【図４】
2015228439.tif 000006
【図５】
2015228439.tif 000007
【図６】
2015228439.tif 000008
【図７】
2015228439.tif 000009
【図８】
2015228439.tif 000010
【図９】
2015228439.tif 000011
【図１０】
2015228439.tif 000012
【図１１】
2015228439.tif 000013